(57)【要約】【課題】斜め嵌合が許容されることを前提に、端子収容室の隔壁の板厚を薄くすることなく、嵌合後における嵌合方向でのガタツキを低減する技術を提供する。【解決手段】オスハウジング５は、ソケットコンタクト４を収容可能なコンタクト収容室１４を有するハウジング本体６と、ハウジング本体６に支持されるロック梁７と、を有する。ロック梁７は、オスコネクタ２を挿入凹部３２に挿入する方向であるコネクタ挿入方向と反対のコネクタ抜去方向を向く爪ロック面１７を有する。メスハウジング３１は、コネクタ挿入方向を向く孔ロック面４０を有する。オスコネクタ２を挿入凹部３２に挿入すると、爪ロック面１７と孔ロック面４０がコネクタ挿抜方向において対向し、これにより、オスコネクタ２の挿入凹部３２からの抜去が禁止される。図５に示すように、爪ロック面１７は、抜去方向に向かって凸となるように形成されている。【選択図】図５
2018147866.tif 000002
【特許請求の範囲】
【請求項１】
第１のコンタクトと、
前記第１のコンタクトを保持する第１のハウジングと、
を有する第１のコネクタと、
前記第１のコネクタを挿入可能な挿入凹部を有する第２のハウジングを有する第２のコネクタと、
を備え、
前記第１のハウジングは、
前記第１のコンタクトを収容可能なコンタクト収容室を有するハウジング本体と、
前記ハウジング本体に支持されるロック梁と、
を有し、
前記ロック梁は、前記第１のコネクタを前記挿入凹部に挿入する方向である挿入方向と反対の抜去方向を向く第１のロック面を有し、
前記第２のハウジングは、前記挿入方向を向く第２のロック面を有し、
前記第１のコネクタを前記挿入凹部に挿入すると、前記第１のロック面と前記第２のロック面が前記挿入方向において対向し、これにより、前記第１のコネクタの前記挿入凹部からの抜去が禁止される、
コネクタ組立体であって、
前記第１のロック面は、前記抜去方向に向かって凸となるように形成されており、
又は、
前記第２のロック面は、前記挿入方向に向かって凸となるように形成されている、
コネクタ組立体。
【請求項２】
請求項１に記載のコネクタ組立体であって、
前記第１のロック面が前記抜去方向に向かって凸となるように形成されている場合、
前記第１のロック面は、２つの傾斜面を有し、
前記２つの傾斜面は、前記抜去方向に向かうにつれて互いに近づくように傾斜している、
コネクタ組立体。
【請求項３】
請求項２に記載のコネクタ組立体であって、
前記２つの傾斜面は、互いに接続している、
コネクタ組立体。
【請求項４】
請求項１に記載のコネクタ組立体であって、
前記第２のロック面が前記挿入方向に向かって凸となるように形成されている場合、
前記第２のロック面は、２つの傾斜面を有し、
前記２つの傾斜面は、前記挿入方向に向かうにつれて互いに近づくように傾斜している、
コネクタ組立体。
【請求項５】
請求項４に記載のコネクタ組立体であって、
前記２つの傾斜面は、互いに接続している、
コネクタ組立体。
【請求項６】
請求項１から請求項５の何れかに記載のコネクタ組立体であって、
前記ロック梁は、
弾性変形容易なロック梁本体と、
前記ロック梁本体から突出するロック爪と、
を有し、
前記第１のロック面は、前記ロック爪に形成されている、
コネクタ組立体。
【請求項７】
請求項１から請求項６の何れかに記載のコネクタ組立体であって、
前記第２のハウジングは、ロック孔を有し、
前記第２のロック面は、前記ロック孔の内周面に形成されている、
コネクタ組立体。
【発明の詳細な説明】
【技術分野】
【０００１】
本発明は、コネクタ組立体に関する。
【背景技術】
【０００２】
特許文献１は、図１５に示す雄コネクタ１００と、図１６に示す雌コネクタ１０１と、の嵌合に関する技術を開示している。具体的には、雄コネクタ１００が雌コネクタ１０１に対して傾いた姿勢で雄コネクタ１００を雌コネクタ１０１に挿入しても雄コネクタ１００と雌コネクタ１０１が互いに嵌合可能であること（以下、斜め嵌合とも称する。）を前提条件に、嵌合後における嵌合方向でのガタツキを低減すべく、図１５に示すように、雄コネクタ１００の雄コネクタハウジング１０２の先端部周縁に傾斜部１０３を設けることとしている。
【先行技術文献】
【特許文献】
【０００３】
【特許文献１】特開平６−１５１００７号公報
【発明の概要】
【発明が解決しようとする課題】
【０００４】
しかし、上記特許文献１の構成では、図１５に示すように、雄コネクタハウジング１０２の先端部周縁に傾斜部１０３を設けているので、端子収容室１０４の隔壁１０５が薄くなり、強度面で改善の余地が残されていた。
【０００５】
本発明の目的は、斜め嵌合が許容されることを前提に、端子収容室の隔壁の板厚を薄くすることなく、嵌合後における嵌合方向でのガタツキを低減する技術を提供することにある。
【課題を解決するための手段】
【０００６】
本願発明の観点によれば、第１のコンタクトと、前記第１のコンタクトを保持する第１のハウジングと、を有する第１のコネクタと、前記第１のコネクタを挿入可能な挿入凹部を有する第２のハウジングを有する第２のコネクタと、を備え、前記第１のハウジングは、前記第１のコンタクトを収容可能なコンタクト収容室を有するハウジング本体と、前記ハウジング本体に支持されるロック梁と、を有し、前記ロック梁は、前記第１のコネクタを前記挿入凹部に挿入する方向である挿入方向と反対の抜去方向を向く第１のロック面を有し、前記第２のハウジングは、前記挿入方向を向く第２のロック面を有し、前記第１のコネクタを前記挿入凹部に挿入すると、前記第１のロック面と前記第２のロック面が前記挿入方向において対向し、これにより、前記第１のコネクタの前記挿入凹部からの抜去が禁止される、コネクタ組立体であって、前記第１のロック面は、前記抜去方向に向かって凸となるように形成されており、又は、前記第２のロック面は、前記挿入方向に向かって凸となるように形成されている、コネクタ組立体が提供される。
好ましくは、前記第１のロック面が前記抜去方向に向かって凸となるように形成されている場合、前記第１のロック面は、２つの傾斜面を有し、前記２つの傾斜面は、前記抜去方向に向かうにつれて互いに近づくように傾斜している。
好ましくは、前記２つの傾斜面は、互いに接続している。
好ましくは、前記第２のロック面が前記挿入方向に向かって凸となるように形成されている場合、前記第２のロック面は、２つの傾斜面を有し、前記２つの傾斜面は、前記挿入方向に向かうにつれて互いに近づくように傾斜している。
好ましくは、前記２つの傾斜面は、互いに接続している。
好ましくは、前記ロック梁は、弾性変形容易なロック梁本体と、前記ロック梁本体から突出するロック爪と、を有し、前記第１のロック面は、前記ロック爪に形成されている。
好ましくは、前記第２のハウジングは、ロック孔を有し、前記第２のロック面は、前記ロック孔の内周面に形成されている。
【発明の効果】
【０００７】
本発明によれば、斜め嵌合が許容されることを前提に、コンタクト収容室の隔壁の板厚が薄くなることなく、嵌合後における嵌合方向でのガタツキを低減することができる。
【図面の簡単な説明】
【０００８】
【図１】コネクタ組立体の嵌合後の状態を示す斜視図である。（第１実施形態）
【図２】コネクタ組立体の嵌合前の状態を示す斜視図である。（第１実施形態）
【図３】オスコネクタの斜視図である。（第１実施形態）
【図４】オスコネクタの断面斜視図である。（第１実施形態）
【図５】オスコネクタの部分拡大図である。（第１実施形態）
【図６】メスコネクタの斜視図である。（第１実施形態）
【図７】メスコネクタの断面斜視図である。（第１実施形態）
【図８】コネクタ組立体の嵌合後の状態を示す一部切り欠き斜視図である。（第１実施形態）
【図９】コネクタ組立体の嵌合後の状態を示す平面模式図である。（比較例）
【図１０】コネクタ組立体の斜め嵌合を示す平面模式図である。（比較例）
【図１１】コネクタ組立体の斜め嵌合を示す平面模式図である。（第１実施形態）
【図１２】コネクタ組立体の嵌合後の状態を示す平面模式図である。（第１実施形態）
【図１３】コネクタ組立体の嵌合後の状態を示す平面模式図である。（第２実施形態）
【図１４】コネクタ組立体の斜め嵌合を示す平面模式図である。（第２実施形態）
【図１５】特許文献１の図１を簡略化した図である。
【図１６】特許文献１の図２を簡略化した図である。
【発明を実施するための形態】
【０００９】
（第1実施形態）
以下、図１から図１２を参照して、第１実施形態を説明する。
【００１０】
図１及び図２に示すように、コネクタ組立体１は、オスコネクタ２（第１のコネクタ）とメスコネクタ３（第２のコネクタ）を備えている。そして、オスコネクタ２をメスコネクタ３に挿入することにより、オスコネクタ２がメスコネクタ３と嵌合するように構成されている。
【００１１】
以下、図１及び図２において、「コネクタ挿抜方向」「コネクタ幅方向」「コネクタ高さ方向」を定義する。コネクタ挿抜方向は、オスコネクタ２をメスコネクタ３に対して抜き挿しする方向である。コネクタ挿抜方向は、オスコネクタ２をメスコネクタ３に挿入するコネクタ挿入方向（挿入方向）と、オスコネクタ２をメスコネクタ３から抜去するコネクタ抜去方向（抜去方向）を含む。コネクタ挿入方向とコネクタ抜去方向は、互いに反対の方向である。コネクタ幅方向及びコネクタ高さ方向は、コネクタ挿抜方向に対して直交する方向である。コネクタ幅方向とコネクタ高さ方向は互いに直交する方向である。
【００１２】
（オスコネクタ２）
次に、図３から図５を参照して、オスコネクタ２を説明する。図３及び図４に示すように、オスコネクタ２は、複数のソケットコンタクト４（第１のコンタクト）と、複数のソケットコンタクト４を保持するオスハウジング５（第１のハウジング）と、を備えている。なお、説明の便宜上、図４にはソケットコンタクト４を１つのみ描いている。
【００１３】
図４において、複数のソケットコンタクト４は、複数のソケットコンタクト４がオスハウジング５に保持された状態で、コネクタ幅方向で互いに離れて配置されている。各ソケットコンタクト４は、各ソケットコンタクト４がオスハウジング５に保持された状態で、コネクタ挿抜方向に沿って細長い形状を有する。各ソケットコンタクト４は、概ね角筒状に形成されている。各ソケットコンタクト４は、金属製であって、プレス加工により形成されている。各ソケットコンタクト４には、被覆付き電線５０が取り付けられている。
【００１４】
図３に示すように、オスハウジング５は、ハウジング本体６と、ロック梁７と、２つの保護壁８と、を有する。オスハウジング５は、絶縁樹脂製であって、射出成形により形成されている。
【００１５】
ハウジング本体６は、略直方体状であって、先端面９、後端面１０、２つの側面１１、上面１２、下面１３を有する。先端面９は、コネクタ挿抜方向に対して直交する面であって、コネクタ挿入方向を向く面である。後端面１０は、コネクタ挿抜方向に対して直交する面であって、コネクタ抜去方向を向く面である。２つの側面１１は、コネクタ幅方向に対して直交する面であって、互いに逆向きの面である。上面１２及び下面１３は、コネクタ高さ方向に対して直交する面であって、互いに逆向きの面である。以下、先端面９と２つの側面１１が合流する稜線を幅縁線９Ａと称する。図４に示すように、ハウジング本体６は、複数のソケットコンタクト４をそれぞれ収容可能な複数のコンタクト収容室１４を有している。各コンタクト収容室１４は、ハウジング本体６をコネクタ挿抜方向において貫通するように形成されている。即ち、各コンタクト収容室１４は、先端面９及び後端面１０に開口している。
【００１６】
図３に示すように、ロック梁７は、ハウジング本体６に支持された梁体である。ロック梁７は、ロック梁本体１５と、ロック爪１６と、を有する。
【００１７】
ロック梁本体１５は、ハウジング本体６の上面１２に片持ち梁状に支持された弾性変形容易な梁体であって、コネクタ抜去方向に向かって細長く延びている。ロック梁本体１５は、概ね板状に形成されており、その板厚方向はコネクタ高さ方向に一致している。
【００１８】
ロック爪１６は、ロック梁本体１５からコネクタ高さ方向で突出している。ロック爪１６は、ハウジング本体６から離れる方向でロック梁本体１５から突出している。ロック爪１６は、ロック梁本体１５のコネクタ挿抜方向における中央に配置されている。ロック爪１６は、コネクタ幅方向に細長く形成されている。図５に示すように、ロック爪１６は、爪ロック面１７（第１のロック面）と、ガイド傾斜面１８、２つの爪側面１９、爪上面２０を有する。
【００１９】
爪ロック面１７は、コネクタ挿抜方向に対して傾斜する面であって、少なくともコネクタ抜去方向を向く面である。爪ロック面１７は、コネクタ幅方向に細長く延びて形成されている。爪ロック面１７は、コネクタ幅方向における２つの端部１７Ａを有する。爪ロック面１７は、２つの爪ロック傾斜面２１（傾斜面）を有する。２つの爪ロック傾斜面２１は、コネクタ幅方向に並べて配置されている。各爪ロック傾斜面２１は、各端部１７Ａに近づくにつれてコネクタ挿入方向に傾斜する平面状の傾斜面である。従って、２つの爪ロック傾斜面２１は、コネクタ高さ方向に沿った視線で見ると、コネクタ抜去方向に向かうにつれて互いに近づくように傾斜している。各爪ロック傾斜面２１は、コネクタ高さ方向に対して平行な面である。そして、２つの爪ロック傾斜面２１は、互いに接続している。詳しくは、２つの爪ロック傾斜面２１は、爪ロック面１７のコネクタ幅方向中央において互いに接続している。即ち、２つの爪ロック傾斜面２１は、コネクタ幅方向で隣り合っている。従って、爪ロック面１７は、コネクタ高さ方向に沿った視線で爪ロック面１７を見ると、コネクタ抜去方向に向かって凸となるようにＶ字状に形成されている。爪ロック面１７のコネクタ抜去方向における先端を以下、爪ロック先端２２と称する。なお、図５では、説明の便宜上、各爪ロック傾斜面２１の傾斜を強調して描いている。
【００２０】
ガイド傾斜面１８は、コネクタ挿抜方向に対して傾斜する面であって、少なくともコネクタ挿入方向を向く面である。ガイド傾斜面１８は、コネクタ幅方向に細長く延びて形成されている。ガイド傾斜面１８は、コネクタ挿入方向に向かうにつれてハウジング本体６に近づくように傾斜している。
【００２１】
２つの爪側面１９は、コネクタ幅方向に対して直交する面であって、互いに逆向きの面である。
【００２２】
爪上面２０は、コネクタ高さ方向に対して直交する面であって、ハウジング本体６から離れる方向を向く面である。
【００２３】
図３に戻り、２つの保護壁８は、ハウジング本体６の上面１２からコネクタ高さ方向で突出する壁部であって、コネクタ幅方向においてロック梁７を挟むように配置されている。２つの保護壁８は、コネクタ幅方向でロック梁７を挟むように配置されることで、ロック梁７の誤操作を防止する。
【００２４】
（メスコネクタ３）
次に、図６及び図７を参照して、メスコネクタ３を説明する。
【００２５】
図６及び図７に示すように、メスコネクタ３は、複数のピンコンタクト３０（第２のコンタクト）と、複数のピンコンタクト３０を保持するメスハウジング３１（第２のハウジング）と、を備えている。
【００２６】
図７に示すように、複数のピンコンタクト３０は、複数のピンコンタクト３０がメスハウジング３１に保持された状態で、コネクタ幅方向で互いに離れて配置されている。各ピンコンタクト３０は、各ピンコンタクト３０がメスハウジング３１に保持された状態で、コネクタ挿抜方向に沿って細長い形状を有する。各ピンコンタクト３０は、ピン形状に形成されている。各ピンコンタクト３０は、金属製であって、プレス加工により形成されている。
【００２７】
図６及び図７に示すように、メスハウジング３１は、絶縁樹脂製であって、射出成形により形成されている。メスハウジング３１は、コネクタ抜去方向に開口する略箱型状であって、図７に示すように、オスコネクタ２を挿入可能な挿入凹部３２を有する。即ち、メスハウジング３１は、奥壁３３、上壁３４、下壁３５、２つの側壁３６を有する。
【００２８】
奥壁３３は、板厚方向がコネクタ挿抜方向に対して平行な壁部である。奥壁３３は、複数のピンコンタクト３０を保持している。奥壁３３は、コネクタ抜去方向を向く奥壁内面３７を有する。上壁３４及び下壁３５は、何れも、板厚方向がコネクタ高さ方向に対して平行な壁部である。上壁３４及び下壁３５は、コネクタ高さ方向において互いに対向するように配置されている。上壁３４は、ロック孔３８を有している。ロック孔３８は、内周面３９を有している。内周面３９は、孔ロック面４０（第２のロック面）を含んでいる。孔ロック面４０は、本実施形態において平面であり、コネクタ挿抜方向に対して直交する面であって、コネクタ挿入方向を向く面である。孔ロック面４０は、コネクタ幅方向に細長く延びて形成されている。２つの側壁３６は、何れも、板厚方向がコネクタ幅方向に対して平行な壁部である。２つの側壁３６は、コネクタ幅方向において互いに対向するように配置されている。各側壁３６は、何れも、側壁内面４１を有する。各側壁内面４１は、コネクタ抜去方向における縁としての抜去縁線４１Ａを有する。
【００２９】
（嵌合）
次に、図８を参照して、オスコネクタ２とメスコネクタ３の嵌合を説明する。
【００３０】
オスコネクタ２をメスコネクタ３の挿入凹部３２に挿入すると、オスコネクタ２のロック爪１６のガイド傾斜面１８がメスハウジング３１の上壁３４と接触することでロック梁７がオスハウジング５に向かって押し下げられる。続けて、オスコネクタ２をメスコネクタ３の挿入凹部３２に挿入すると、やがてロック爪１６がロック孔３８に到達し、ロック梁本体１５の弾性復元力によりロック爪１６がロック孔３８内に挿入される。ロック爪１６がロック孔３８内に挿入されると、爪ロック面１７と孔ロック面４０がコネクタ挿抜方向において対向し、即ち、爪ロック面１７と孔ロック面４０が嵌合方向で重複する位置関係となり、これにより、オスコネクタ２の挿入凹部３２からの抜去が禁止される。このようにオスコネクタ２の挿入凹部３２からの抜去が禁止されることで、オスコネクタ２とメスコネクタ３の嵌合が完了する。
【００３１】
オスコネクタ２とメスコネクタ３が嵌合した状態で、メスコネクタ３の複数のピンコンタクト３０は、図４に示すオスコネクタ２の複数のソケットコンタクト４にそれぞれ挿入され、もって、オスコネクタ２とメスコネクタ３との電気的な接続が達成される。
【００３２】
図８に戻り、オスコネクタ２を挿入凹部３２から抜去するには、ロック梁７の自由端を押し下げて爪ロック面１７と孔ロック面４０とのコネクタ挿抜方向における対向状態を解除した上で、オスコネクタ２をコネクタ抜去方向に引っ張ればよい。
【００３３】
（ガタツキ低減技術）
次に、図９から図１２を参照して、本実施形態のガタツキ低減技術を説明する。なお、以降の図９から図１４では、説明の便宜上、各構成要素を模式的に描いている。
【００３４】
図９及び図１０には、比較例として、爪ロック面１７をコネクタ挿抜方向に対して直交する平面としたコネクタ組立体１を示している。図９に示すように、オスコネクタ２をメスコネクタ３の挿入凹部３２に挿入し易いように、オスコネクタ２のオスハウジング５のコネクタ幅方向における寸法５Ｗは、メスコネクタ３の挿入凹部３２のコネクタ幅方向における寸法３２Ｗよりも小さくなっている。また、オスコネクタ２をメスコネクタ３の挿入凹部３２に挿入する作業は必ずしも目視で確認しながら行えるものではない。従って、図１０に示すように、オスコネクタ２がメスコネクタ３に対して傾いた姿勢でオスコネクタ２をメスコネクタ３に挿入してもオスコネクタ２とメスコネクタ３が互いに嵌合可能となることが好ましい。図１０では、オスコネクタ２の先端面９の２つの幅縁線９Ａがメスコネクタ３の奥壁内面３７と一方の側壁内面４１に対して線接触し、メスコネクタ３の他方の側壁内面４１の抜去縁線４１Ａがオスコネクタ２の側面１１に対して線接触している様子を示している。このように、オスコネクタ２がメスコネクタ３に対して傾いた姿勢でオスコネクタ２をメスコネクタ３の挿入凹部３２に挿入したことよりオスコネクタ２がメスコネクタ３に対して３箇所で接触している場合、オスコネクタ２はメスコネクタ３に対してコネクタ高さ方向に沿った軸まわりに角度θだけ傾くことになる。ここで、上記の寸法５Ｗ、寸法３２Ｗ、側壁内面４１のコネクタ挿抜方向における寸法４１Ｌを用いると、上記角度θは下記式（１）を満たす。なお、実際の製品では、上記角度θは概ね１から３°程度である。
【００３５】
【数１】
2018147866.tif 000003
【００３６】
そして、オスコネクタ２がメスコネクタ３に対して傾いた姿勢でオスコネクタ２をメスコネクタ３に挿入してもオスコネクタ２とメスコネクタ３が互いに嵌合可能となるように、コネクタ挿抜方向におけるメスコネクタ３の奥壁内面３７と孔ロック面４０との間の寸法４０Ｌは十分に大きく確保されている。
【００３７】
そして、図９に戻り、オスコネクタ２とメスコネクタ３との嵌合後におけるコネクタ挿抜方向（嵌合方向）でのガタツキは、寸法４０Ｌと、コネクタ挿抜方向におけるオスコネクタ２の先端面９と爪ロック面１７との間の寸法１７Ｌと、の差分に相当する。
【００３８】
これに対し、本実施形態では、図１１に示すように、爪ロック面１７が２つの爪ロック傾斜面２１を有するので、寸法４０Ｌは上記比較例と比較して小さくすることができる。換言すれば、寸法４０Ｌを上記比較例よりも小さくしても、オスコネクタ２がメスコネクタ３に対して傾いた姿勢でオスコネクタ２をメスコネクタ３に挿入してもオスコネクタ２とメスコネクタ３が互いに嵌合可能となる。参考までに、比較例における孔ロック面４０を図１１において符号Ｘで示している。一方で、図１２に示すように、コネクタ挿抜方向におけるオスコネクタ２の先端面９と爪ロック面１７との間の寸法１７Ｌは上記比較例と同じである。従って、寸法４０Ｌと寸法１７Ｌとの差分が小さくなり、換言すれば先端面９と奥壁内面３７が面合わせした状態での爪ロック面１７の爪ロック先端２２と孔ロック面４０との最短距離が短くなり、もって、オスコネクタ２とメスコネクタ３との嵌合後におけるコネクタ挿抜方向でのガタツキが低減されることになる。
【００３９】
なお、図５において、各爪ロック傾斜面２１のコネクタ幅方向に対する傾斜角は、上記式（１）を満たす角度θとすることが好ましいが、この角度θよりも大きくてもよいし小さくてもよい。
【００４０】
以上に、第１実施形態を説明したが、上記第１実施形態は以下の特長を有する。
【００４１】
コネクタ組立体１は、ソケットコンタクト４（第１のコンタクト）と、ソケットコンタクト４を保持するオスハウジング５（第１のハウジング）と、を有するオスコネクタ２（第１のコネクタ）と、オスコネクタ２を挿入可能な挿入凹部３２を有するメスハウジング３１（第２のハウジング）を有するメスコネクタ３（第２のコネクタ）と、を備える。オスハウジング５は、ソケットコンタクト４を収容可能なコンタクト収容室１４を有するハウジング本体６と、ハウジング本体６に支持されるロック梁７と、を有する。ロック梁７は、オスコネクタ２を挿入凹部３２に挿入する方向であるコネクタ挿入方向（挿入方向）と反対のコネクタ抜去方向（抜去方向）を向く爪ロック面１７（第１のロック面）を有する。メスハウジング３１は、コネクタ挿入方向を向く孔ロック面４０（第２のロック面）を有する。オスコネクタ２を挿入凹部３２に挿入すると、爪ロック面１７と孔ロック面４０がコネクタ挿抜方向において対向し、これにより、オスコネクタ２の挿入凹部３２からの抜去が禁止される。図５に示すように、爪ロック面１７は、抜去方向に向かって凸となるように形成されている。以上の構成によれば、図１１に示す斜め嵌合が許容されることを前提に、コンタクト収容室１４の隔壁の板厚が薄くなることなく、嵌合後におけるコネクタ挿抜方向（嵌合方向）でのガタツキを低減することができる。
【００４２】
また、爪ロック面１７は、２つの爪ロック傾斜面２１（傾斜面）を有する。２つの爪ロック傾斜面２１は、コネクタ抜去方向に向かうにつれて互いに近づくように傾斜している。また、２つの爪ロック傾斜面２１は、互いに接続している。以上の構成によれば、簡素な形状の爪ロック面１７が実現される。
【００４３】
また、図５に示すように、ロック梁７は、弾性変形容易なロック梁本体１５と、ロック梁本体１５から突出するロック爪１６と、を有する。爪ロック面１７は、ロック爪１６に形成されている。以上の構成によれば、爪ロック面１７を簡素な構成で実現することができる。
【００４４】
また、図６に示すように、メスハウジング３１は、ロック孔３８を有する。孔ロック面４０は、ロック孔３８の内周面３９に形成されている。以上の構成によれば、孔ロック面４０が簡素な構成で実現される。
【００４５】
（第２実施形態）
次に、図１３及び図１４を参照して、第２実施形態を説明する。以下、本実施形態が上記第１実施形態と相違する点を中心に説明し、異なる説明は省略する。
【００４６】
例えば図５に示すように、上記第１実施形態において爪ロック面１７はコネクタ抜去方向に凸となるように形成されている。また、図６に示すように、孔ロック面４０はコネクタ挿抜方向に対して直交する平面とされている。
【００４７】
これに対し、本実施形態では、図１３に示すように、爪ロック面１７はコネクタ挿抜方向に対して直交する平面であり、孔ロック面４０は、コネクタ挿入方向に向かって凸となるように形成されている。具体的には、孔ロック面４０は、コネクタ幅方向に細長く延びて形成されている。孔ロック面４０は、コネクタ幅方向における２つの端部４０Ａを有する。孔ロック面４０は、２つの孔ロック傾斜面４２（傾斜面）を有する。２つの孔ロック傾斜面４２は、コネクタ幅方向に並べて配置されている。各孔ロック傾斜面４２は、各端部４０Ａに近づくにつれてコネクタ抜去方向に傾斜する平面状の傾斜面である。従って、２つの孔ロック傾斜面４２は、コネクタ高さ方向に沿った視線で見ると、コネクタ挿入方向に向かうにつれて互いに近づくように傾斜している。各孔ロック傾斜面４２は、コネクタ高さ方向に対して平行な面である。そして、２つの孔ロック傾斜面４２は、互いに接続している。詳しくは、２つの孔ロック傾斜面４２は、孔ロック面４０のコネクタ幅方向中央において互いに接続している。即ち、２つの孔ロック傾斜面４２は、コネクタ幅方向で隣り合っている。従って、孔ロック面４０は、コネクタ高さ方向に沿った視線で孔ロック面４０を見ると、コネクタ挿入方向に向かって凸となるようにＶ字状に形成されている。孔ロック面４０のコネクタ挿入方向における先端を以下、孔ロック先端４３と称する。参考までに、比較例における孔ロック面４０を図１３において符号Ｘで示している。
【００４８】
以上の構成によれば、図１３に示すように、コネクタ挿抜方向におけるメスコネクタ３の奥壁内面３７と孔ロック面４０の孔ロック先端４３との間の寸法４０Ｌを比較例よりも小さくしても、図１４に示すように、オスコネクタ２がメスコネクタ３に対して傾いた姿勢でオスコネクタ２をメスコネクタ３に挿入してもオスコネクタ２とメスコネクタ３が互いに嵌合可能となる。従って、図１３において、寸法４０Ｌと寸法１７Ｌとの差分が小さくなり、換言すれば先端面９と奥壁内面３７が面合わせした状態での爪ロック面１７と孔ロック面４０との最短距離が短くなり、もって、オスコネクタ２とメスコネクタ３との嵌合後におけるコネクタ挿抜方向でのガタツキが低減されることになる。
【００４９】
なお、図１３において、各孔ロック傾斜面４２のコネクタ幅方向に対する傾斜角は、上記式（１）を満たす角度θとすることが好ましいが、この角度θよりも大きくてもよいし小さくてもよい。
【００５０】
以上に、第２実施形態を説明したが、上記第２実施形態は以下の特長を有する。
【００５１】
コネクタ組立体１は、ソケットコンタクト４（第１のコンタクト）と、ソケットコンタクト４を保持するオスハウジング５（第１のハウジング）と、を有するオスコネクタ２（第１のコネクタ）と、オスコネクタ２を挿入可能な挿入凹部３２を有するメスハウジング３１（第２のハウジング）を有するメスコネクタ３（第２のコネクタ）と、を備える。オスハウジング５は、ソケットコンタクト４を収容可能なコンタクト収容室１４を有するハウジング本体６と、ハウジング本体６に支持されるロック梁７と、を有する。ロック梁７は、オスコネクタ２を挿入凹部３２に挿入する方向であるコネクタ挿入方向（挿入方向）と反対のコネクタ抜去方向（抜去方向）を向く爪ロック面１７（第１のロック面）を有する。メスハウジング３１は、コネクタ挿入方向を向く孔ロック面４０（第２のロック面）を有する。オスコネクタ２を挿入凹部３２に挿入すると、爪ロック面１７と孔ロック面４０がコネクタ挿抜方向において対向し、これにより、オスコネクタ２の挿入凹部３２からの抜去が禁止される。図１３に示すように、孔ロック面４０は、コネクタ挿入方向に向かって凸となるように形成されている。以上の構成によれば、図１４に示す斜め嵌合が許容されることを前提に、コンタクト収容室１４の隔壁の板厚が薄くなることなく、嵌合後におけるコネクタ挿抜方向（嵌合方向）でのガタツキを低減することができる。
【００５２】
また、孔ロック面４０は、２つの孔ロック傾斜面４２（傾斜面）を有する。２つの孔ロック傾斜面４２は、コネクタ挿入方向に向かうにつれて互いに近づくように傾斜している。また、２つの孔ロック傾斜面４２は、互いに接続している。以上の構成によれば、簡素な形状の孔ロック面４０が実現される。
【００５３】
上記の第１及び第２実施形態は、例えば、以下のように変更できる。
【００５４】
上記各実施形態において、オスコネクタ２は複数のソケットコンタクト４を備えているとしたが、これに代えて、たった１つのソケットコンタクト４を備えてもよい。同様に、メスコネクタ３は複数のピンコンタクト３０を備えるとしたが、これに代えて、たった１つのピンコンタクト３０を備えてもよい。
【００５５】
上記各実施形態において、ロック梁７はオスハウジング５の上面１２に片持ち梁状に支持されるとしたが、これに代えて、ロック梁７はオスハウジング５の上面１２に両持ち梁状に支持されてもよい。
【００５６】
図５に示すように、上記第１実施形態において、爪ロック面１７を構成する２つの爪ロック傾斜面２１はコネクタ幅方向で互いに接続しているとしたが、これに代えて、爪ロック面１７を構成する２つの爪ロック傾斜面２１はコネクタ幅方向で離れていてもよい。同様に、図１３に示すように、上記第２実施形態において、孔ロック面４０を構成する２つの孔ロック傾斜面４２はコネクタ幅方向で互いに接続しているとしたが、これに代えて、孔ロック面４０を構成する２つの孔ロック傾斜面４２はコネクタ幅方向で離れていてもよい。
【００５７】
図５に示すように、上記第１実施形態において、爪ロック面１７を構成する２つの爪ロック傾斜面２１は平面であるとしたが、これに代えて、湾曲面であってもよい。同様に、図１３に示すように、上記第２実施形態において、孔ロック面４０を構成する２つの孔ロック傾斜面４２は平面であるとしたが、これに代えて、湾曲面であってもよい。
【００５８】
図５に示すように、上記第１実施形態において、爪ロック面１７はコネクタ高さ方向に沿って平行な視線で見るとコネクタ抜去方向に向かって凸となるようにＶ字状に屈曲しているとしたが、これに代えて、爪ロック面１７はコネクタ高さ方向に沿って平行な視線で見るとコネクタ抜去方向に向かって凸となるように湾曲していてもよい。同様に、図１３に示すように、上記第２実施形態において、孔ロック面４０はコネクタ高さ方向に沿って平行な視線で見るとコネクタ挿入方向に向かって凸となるようにＶ字状に屈曲しているとしたが、これに代えて、孔ロック面４０はコネクタ高さ方向に沿って平行な視線で見るとコネクタ挿入方向に向かって凸となるように湾曲していてもよい。
【００５９】
（付記）
第１のコンタクトと、
前記第１のコンタクトを保持する第１のハウジングと、
を有する第１のコネクタと、
前記第１のコネクタを挿入可能な挿入凹部を有する第２のハウジングを有する第２のコネクタと、
を備え、
前記第１のハウジングは、
前記第１のコンタクトを収容可能なコンタクト収容室を有するハウジング本体と、
前記ハウジング本体に支持されるロック梁と、
を有し、
前記ロック梁は、弾性変形容易なロック梁本体と、前記ロック梁本体から突出するロック爪と、を有し、
前記ロック爪は、前記第１のコネクタを前記挿入凹部に挿入する方向である挿入方向と反対の抜去方向を向く第１のロック面を有し、
前記第２のハウジングは、前記挿入方向を向く第２のロック面を有し、
前記第１のコネクタを前記挿入凹部に挿入すると、前記第１のロック面と前記第２のロック面が前記挿入方向において対向し、これにより、前記第１のコネクタの前記挿入凹部からの抜去が禁止される、
コネクタ組立体であって、
前記第１のロック面は、図１２に示すように、前記ロック爪が前記ロック梁本体から突出する方向に沿った視線で見ると、前記抜去方向に向かって凸となるように形成されており、
又は、
前記第２のロック面は、図１３に示すように、前記ロック爪が前記ロック梁本体から突出する方向に沿った視線で見ると、前記挿入方向に向かって凸となるように形成されている、
コネクタ組立体。
【符号の説明】
【００６０】
１  コネクタ組立体
２  オスコネクタ（第１のコネクタ）
３  メスコネクタ（第２のコネクタ）
４  ソケットコンタクト（第１のコンタクト）
５  オスハウジング（第１のハウジング）
５Ｗ  寸法
６  ハウジング本体
７  ロック梁
８  保護壁
９  先端面
９Ａ  幅縁線
１０  後端面
１１  側面
１２  上面
１３  下面
１４  コンタクト収容室
１５  ロック梁本体
１６  ロック爪
１７  爪ロック面（第１のロック面）
１７Ａ  端部
１７Ｌ  寸法
１８  ガイド傾斜面
１９  爪側面
２０  爪上面
２１  爪ロック傾斜面（傾斜面）
２２  爪ロック先端
３０  ピンコンタクト（第２のコンタクト）
３１  メスハウジング（第２のハウジング）
３２  挿入凹部
３２Ｗ  寸法
３３  奥壁
３４  上壁
３５  下壁
３６  側壁
３７  奥壁内面
３８  ロック孔
３９  内周面
４０  孔ロック面（第２のロック面）
４０Ａ  端部
４０Ｌ  寸法
４１  側壁内面
４１Ａ  抜去縁線
４１Ｌ  寸法
４２  孔ロック傾斜面（傾斜面）
４３  孔ロック先端
５０  被覆付き電線
θ  角度
【図１】
2018147866.tif 000004
【図２】
2018147866.tif 000005
【図３】
2018147866.tif 000006
【図４】
2018147866.tif 000007
【図５】
2018147866.tif 000008
【図６】
2018147866.tif 000009
【図７】
2018147866.tif 000010
【図８】
2018147866.tif 000011
【図９】
2018147866.tif 000012
【図１０】
2018147866.tif 000013
【図１１】
2018147866.tif 000014
【図１２】
2018147866.tif 000015
【図１３】
2018147866.tif 000016
【図１４】
2018147866.tif 000017
【図１５】
2018147866.tif 000018
【図１６】
2018147866.tif 000019